(57)【要約】【課題】  本発明は上記課題を鑑みてなされたものであり、オーディオビデオジャックの先端へ外部から針金などの異物を挿入され、このオーディオビデオジャックの後方にその異物が挿通されることを防止する防壁構造を備えたオーディオビデオジャックを提供することを目的とする。【解決手段】  オーディオビデオジャック１は端子部２を有している。端子部２の一方の端部に、端子部２と一体的に設けられたハウジング６が設けられている。ハウジング６の後部に防壁部１０を設け、オーディオビデオジャック１の端子部２から針金などの異物が挿入された際、この異物がオーディオビデオジャック１の後方に挿通されることを遮断する。これにより、オーディオビデオジャック１を備えたオーディオビデオ機器が通電状態にある際、オーディオビデオ機器の内部に異物が挿入されることを回避し、各種装置に接触して感電することを回避することができるので安全性に優れる。【選択図】      図２
2005276750.tif 000002
【特許請求の範囲】
【請求項１】
外周面に導電性を有する導体を外装した筒型の外装接続端子部と、この外装接続端子部の内周に形成された絶縁内周部と、この絶縁内周部より突き出た導電性を有する突出片と、前記外装接続端子部の軸線方向の一方の端部に一体的に設けられた前後方向に貫通された空洞部の設けられたハウジングとを備えたオーディオビデオジャックにおいて、前記ハウジングの後部に異物の挿入を防止する防壁部を設けたことを特徴とする防壁構造を備えたオーディオビデオジャック。
【請求項２】
前記防壁部は、前記ハウジングに一体的に設けられた金属製の折り曲げ片であることを特徴とする請求項１記載の防壁構造を備えたオーディオビデオジャック。
【請求項３】
前記ハウジングの後部に防壁部を一体に形成したことを特徴とする請求項１記載の防壁構造を備えたオーディオビデオジャック。
【請求項４】
前記ハウジングに係止孔を形成すると共に、この係止孔に係止する係止爪を前記防壁部に一体に設けたことを特徴とする請求項１記載の防壁構造を備えたオーディオビデオジャック。
【請求項５】
外装接続端子部の軸線方向と直交する横方向に複数連続して前記オーディオビデオジャックを一体的に設けたことを特徴とする請求項１〜４記載の何れか１項に記載の防壁構造を備えたオーディオビデオジャック。
【発明の詳細な説明】
【技術分野】
【０００１】
本発明は、オーディオビデオ機器などに設けられている音声や画像信号の入出力されるオーディオビデオジャックに関し、特に、接続ケーブルの端部に設けられた接続プラグの接続されるオーディオビデオジャックの前部から、子供などが悪戯により導電性を有する針金等の異物を挿入させ、例えば、オーディオビデオ機器などの感電の懸念のある装置などに針金が接触し、感電することや、オーディオビデオ機器内に内蔵された各種部品などが破損することを防止する防壁構造を備えたオーディオビデオジャックに関する。
【背景技術】
【０００２】
従来から用いられているオーディオビデオ機器などの各種電子機器には、一般的に、これらの電子機器に対し、外部から音声や画像の信号を入出力するために接続ケーブルや、或いはイヤホンを取り付けるためのジャックが設けられている。
【０００３】
しかし、このような電子機器においては、一般的に使用の対象者を大人としている機器が多く、例えば、子供などがこれらの電子機器を悪戯することを、前提として使用者に提供されているものではない。そこで、正常な所定の使用をしなければ、電子機器が故障を起こしたり、或いは、例えば、電子機器が家庭用電源に通電されている場合においては、感電を引き起こすなど不測の事態に陥ることもないとは言い切れない。このような課題を解決するために、例えば、特許文献１には、電子機器に備えられる電源基板の１次活電部である電源１次側にふれることを防止するために、ジャックの後面にバリアー基板を配置し、このバリアー基板により、ジャックに挿入されたピンなどの異物を、その後方に有する電源１次側に接触されることを防止するものが開示されている。
【０００４】
【特許文献１】実開平５−２３４６３号公報
【発明の開示】
【発明が解決しようとする課題】
【０００５】
本発明は上記課題を鑑みてなされたものであり、ＡＶ（オーディオビデオ）機器に設けられるオーディオビデオジャックの後部に防壁部を設け、外部から針金などの異物を挿入され、このオーディオビデオジャックの後方に異物が挿通されることを防止する防壁構造を備えたオーディオビデオジャックを提供することを目的とする。
【課題を解決するための手段】
【０００６】
請求項１に係る防壁構造を備えたオーディオビデオジャックは、外周面に導電性を有する導体を外装した筒型の外装接続端子部と、この外装接続端子部の内周に形成された絶縁内周部と、この絶縁内周部より突き出た導電性を有する突出片と、前記外装接続端子部の軸線方向の一方の端部に一体的に設けられた前後方向に貫通された空洞部の設けられたハウジングとを備えたオーディオビデオジャックにおいて、前記ハウジングの後部に異物の挿入を防止する防壁部を設けたことを特徴とする。
【０００７】
請求項１の構成によれば、オーディオビデオジャックの外部から、筒型の外装接続端子部の先端側からハウジングの空洞部に、針金などの異物が挿入されたとしても、このハウジングの後部に防壁部が設けられているので、異物の挿入を確実に遮断することができる。よって、例えば、このオーディオビデオジャックが、オーディオビデオ機器などの筐体に取り付けられている際には、不注意により針金などの異物がオーディオビデオジャックからオーディオビデオ機器の内部に挿入されようとしても、オーディオビデオ機器の内部に設けられた高電圧の印加されている装置や部品に接触して感電することを回避することができる（安全性に優れる。）。
【０００８】
請求項２に係る防壁構造を備えたオーディオビデオジャックは、請求項１記載の防壁構造を備えたオーディオビデオジャックにおいて、前記防壁部は、前記ハウジングに一体的に設けられた金属製の折り曲げ片であることを特徴とする。
【０００９】
請求項２の構成によれば、折り曲げ片を低コストな金属製としたので、安価なオーディオビデオジャックを提供することができる。また、折り曲げ片は金属製であるので、可塑性を有するので、折り曲げ片の折り曲げ加工を容易におこなうことができる。
【００１０】
請求項３に係る防壁構造を備えたオーディオビデオジャックは、請求項１記載の防壁構造を備えたオーディオビデオジャックにおいて、前記ハウジングの後部に防壁部を一体に形成したことを特徴とする。
【００１１】
請求項３の構成によれば、ハウジングと防壁部が一体に形成されるから、金型などによりハウジングと防壁部を一括して成形することができるので、製造工程における時間を短縮化することができる。
【００１２】
請求項４に係る防壁構造を備えたオーディオビデオジャックは、請求項１記載の防壁構造を備えたオーディオビデオジャックにおいて、前記ハウジングに係止孔を形成すると共に、この係止孔に係止する係止爪を前記防壁部に一体に設けたことを特徴とする。
【００１３】
請求項４の構成によれば、ハウジングの係止孔に防壁部の係止爪を係止することにより、ハウジングに防壁部を着脱自在に取り付けることができる。
【００１４】
請求項５に係る防壁構造を備えたオーディオビデオジャックは、請求項１〜４記載の何れか１項に記載の防壁構造を備えたオーディオビデオジャックにおいて、外装接続端子部の軸線方向と直交する横方向に複数連続して前記オーディオビデオジャックを一体的に設けたことを特徴とする。
【００１５】
請求項５の構成によれば、複数のオーディオビデオジャックが横方向に設けられていることで、近年普及している高さの低いオーディオビデオ機器の背面側又は正面側に、このオーディオビデオジャックを取り付ける必要が生じた際、オーディオビデオジャックが横方向に連続して設けられていることで、高さの低い薄型化されたオーディオビデオ機器であっても、このオーディオビデオ機器の高さ内に収まるように配置することができる。
【発明の効果】
【００１６】
請求項１に係る防壁構造を備えたオーディオビデオジャックの発明によれば、外周面に導電性を有する導体を外装した筒型の外装接続端子部と、この外装接続端子部の内周に形成された絶縁内周部と、この絶縁内周部より突き出た導電性を有する突出片と、前記外装接続端子部の軸線方向の一方の端部に一体的に設けられた前後方向に貫通された空洞部の設けられたハウジングとを備えたオーディオビデオジャックにおいて、前記ハウジングの後部に異物の挿入を防止する防壁部を設けたから、針金などの異物がオーディオビデオジャックに挿入されたとしても、このオーディオビデオジャックに防壁部が設けられているから、例えば、オーディオビデオジャックを備えたオーディオビデオ機器が通電状態にある際、不注意や子供などにより針金などの導電性を有する異物が、オーディオビデオ機器の内部に挿入されることを回避することができる。従って、オーディオビデオ機器の内部に設けられている高電圧の印加されている装置や部品に接触して感電することを回避することができるので安全性に優れる。
【００１７】
請求項２に係る防壁構造を備えたオーディオビデオジャックによれば、請求項１において、前記防壁部は、前記ハウジングに一体的に設けられた金属製の折り曲げ片であるから、
安価な金属製の折り曲げ片を用いることで、安価なオーディオビデオジャックを提供することができる。また、折り曲げ片は金属製であるので、折り曲げ片の折り曲げ加工を容易におこなうことができるので、生産性を向上することができる。
【００１８】
請求項３に係る防壁構造を備えたオーディオビデオジャックの発明によれば、請求項１において、前記ハウジングの後部に防壁部を一体に形成したものであり、ハウジングと防壁部を一括して成形することができるので、製造工程における時間を短縮化することができるので、生産性が向上する。さらに、ハウジングの後部に防壁部が形成されているから、防壁部の設けられたオーディオビデオジャックであるか否かを目視により容易に確認できる。
【００１９】
請求項４の防壁構造を備えたオーディオビデオジャックの発明によれば、請求項１において、前記ハウジングに係止孔を形成すると共に、この係止孔に係止する係止爪を前記防壁部に一体に設けたものであり、ハウジングに防壁部を着脱自在に容易に取り付けることができるので作業性が向上する。
【００２０】
請求項５の防壁構造を備えたオーディオビデオジャックの発明によれば、請求項１〜４記載の何れか１項において、外装接続端子部の軸線方向と直交する横方向に複数連続して前記オーディオビデオジャックを一体的に設けたものであり、高さの低い薄型化されたオーディオビデオ機器であっても、このオーディオビデオ機器の高さ内に収まるように配置することができるので汎用性に優れる。
【発明を実施するための最良の形態】
【００２１】
以下、本発明を実施するための最良の形態としての実施例を図１〜図７により以下に説明する。もちろん、本発明は、その発明の趣旨に反しない範囲で、実施例において説明した以外の構成のものに対しても容易に適用可能なことは説明を要するまでもない。
【実施例１】
【００２２】
図１は本実施例におけるオーディオビデオジャック１の正面図であり、図２は、オーディオビデオジャックの側面図であり、図３は、オーディオビデオジャックの平面図である。
【００２３】
これらの図に示すように、オーディオビデオジャック１には、全体が筒型に形成された端子部２を有し、この端子部２は、その外周面に導電性を有する導体を外装した断面円形型の筒型の外装接続端子部３を備えている。また、外装接続端子部３の内側である内周面には、合成樹脂などの絶縁性を有する絶縁内周部４が設けられていて、この絶縁内周部４からさらに内側に向かって突出された導電性を有する突出片５が設けられている。
【００２４】
また、端子部２の軸線方向の一方の端部には、この端子部２と一体的に設けられた合成樹脂からなるハウジング６が設けられている。なお、このハウジング６内には、前後方向（図２に示す横方向）に貫通された空洞部７が設けられていて、ハウジング６の側部には対向して後述する防壁部の係止爪が係止される１対の係止孔８，８が形成されている。
【００２５】
１０は、ハウジング６の後部に着脱自在に取り付け可能な平板状の防壁部であり、オーディオビデオジャック１の端子部２から針金などの異物が挿入された際、この異物がオーディオビデオジャック１の後方に挿通されることを遮断するものである。また、この防壁部１０には、図３に示すように、前述した１対の係止孔８，８に係止された１対の係止爪１１，１１が防壁部１０と一体に設けられている。そして、係止爪１１，１１を係止孔８，８に係止させ、防壁部１０によりハウジング６の後部が、隙間無く完全に塞がれている。一方、ハウジング６の前部には、端子部２がかしめるなどして一体的に設けられている。このように、ハウジング６の前部に端子部２が設けられている状態においては、オーディオビデオジャック１の前側は、端子部２の軸線方向の中央を除いて、外部から埃などが入ることが無いように形成されている。
【００２６】
また、ハウジング６の下端には、このハウジング６の下方に向かって突設した係合突起１５，１５がハウジング６と一体に形成されていて、この係合突起１５，１５は、回路基板２０又はオーディオビデオ機器に形成された孔部２１に挿入されオーディオビデオジャック１が固定され、端子部２がオーディオビデオ機器などの筐体から突出され配置されるものである。
【００２７】
また、前記ハウジング６の空洞部７には、外装接続端子部３と接続された導電性を有する第１の導電板２２が設けられていて、第１の導電板２２の先端は、ハウジング６の空洞部７から下方に突設して設けられている。また、接続内周面４から僅かに突設された突出片５は、第２の導電板２３と接続されていて、前記外装接続端子部３と同様に、第２の導電板２３の先端がハウジング６の空洞部７から下方に突設されて設けられている。このように、本実施例におけるオーディオビデオジャック１は、第１、第２の導電板２２、２３の先端が、回路基板２０の回路パターンなどに半田付けなどにより接続される電極が２つある２極化された構造となっている。
【００２８】
以上のように、本実施例によれば、オーディオビデオジャック１は、外周面に導電性を有する導体を外装した筒型の外装接続端子部３と、この外装接続端子部３の内周に形成された絶縁内周部４と、この絶縁内周部４より突き出た導電性を有する突出片５と、外装接続端子部３の軸線方向の一方の端部に一体的に設けられた前後方向に貫通された空洞部７の設けられたハウジング６とを備え、ハウジング６の後部に異物の挿入を防止する防壁部１０を設けたものであり、オーディオビデオジャック１の外部から、筒型の外装接続端子部３の先端側（図２に示す左側）からハウジング６の空洞部７に、針金などの異物が挿入されたとしても、このハウジング６の後部に防壁部１０が設けられているので、異物の挿入を確実に遮断することができる。よって、例えば、このオーディオビデオジャック１が、オーディオビデオ機器などの筐体などに取り付けられている際には、不注意により針金などの異物が、オーディオビデオジャック１からオーディオビデオ機器の内部に挿入されようとしても、オーディオビデオ機器の内部に設けられた高電圧の印加されている装置や部品に接触して感電することを回避することができるので安全性に優れる。さらに、ハウジング６に係止孔８，８を形成すると共に、この係止孔８，８に係止する係止爪１１，１１を防壁部１０に一体に設けたから、ハウジング６の係止孔８，８に防壁部１０の係止爪１１，１１を係止することにより、ハウジング６に防壁部１０を着脱自在に取り付けることができるので、取り付け作業が容易にとなり作業性が向上する。
【実施例２】
【００２９】
図５は本発明の実施例２を示したオーディオビデオジャック１の平面図であり、前記実施例１と同一部分には同一符号を付しその詳細な説明を省略する。図１で示したように、実施例１のオーディオビデオジャック１のハウジング６の後部には、防壁部１０がハウジング６と一体的に設けてあるが、実施例２の防壁部としての折り曲げ片１０Ａは、ハウジングの後部と離した状態で、ハウジング６と一体的になるように、ハウジング６内の図示しない嵌合部などに差し込むことで取り付けられている。そして、この折り曲げ片１０Ａは、その材質を、低コストな金属製としているので、オーディオビデオジャックに防壁構造を低コストで設けることができることにより、安価なオーディオビデオジャックを提供することができる。また、折り曲げ片は金属製であり可塑性を有するので、折り曲げ片の折り曲げ加工を容易におこなうことができるので生産性を向上することができる。また、実施例２においては、実施例１と同様に、ハウジング６の後部に折り曲げ片１０Ａが設けられているので、異物の挿入を確実に遮断することができる。よって、例えば、このオーディオビデオジャック１が、オーディオビデオ機器などの筐体などに取り付けられている際には、不注意により針金などの異物が、オーディオビデオジャック１からオーディオビデオ機器の内部に挿入されようとしても、オーディオビデオ機器の内部に設けられた高電圧の印加されている装置や部品に接触して感電することを回避することができるので安全性に優れる。
【実施例３】
【００３０】
図６は本発明の実施例３を示したものであり、前記実施例１と同一部分には同一符号を付しその詳細な説明を省略する。実施例３におけるオーディオビデオジャック１は、図６に示すように、ハウジングの後部にこのハウジングと一体に防壁部１０Ｂを形成したものである。つまり、ハウジング６と防壁部１０Ｂが一体に形成されるから、金型などによりハウジング６と防壁部１０Ｂを一括して射出成形などにより成形することができるので、製造工程における時間を短縮化することができ生産性が向上する。さらに、ハウジング６の後部に防壁部１０Ｂが形成されているから、防壁部１０Ｂの設けられたオーディオビデオジャック１であるか否かを目視により容易に確認できる。また、実施例３においても、実施例１と同様に、ハウジング６と防壁部１０Ｂが一体に設けられているので、異物の挿入を確実に遮断することができる。よって、例えば、このオーディオビデオジャック１が、オーディオビデオ機器などの筐体などに取り付けられている際には、不注意により針金などの異物が、オーディオビデオジャック１からオーディオビデオ機器の内部に挿入されようとしても、オーディオビデオ機器の内部に設けられた高電圧の印加されている装置や部品に接触して感電することを回避することができるので安全性に優れる。
【実施例４】
【００３１】
図７は本発明の実施例４を示したものであり、前記実施例１と同一部分には同一符号を付しその詳細な説明を省略する。実施例４におけるオーディオビデオジャックは、実施例１〜４におけるオーディオビデオジャックにおいて、図７に示すように、外装接続端子部２の軸線方向と直交する横方向に複数連続してオーディオビデオジャック１，１，１を一体的に設けたものであり、詳しくは、ハウジング６の側壁部に凹部３０や凸部３１などを形成し、ブロックのように組み立て可能となるものである。これにより、複数のオーディオビデオジャック１，１，１が横方向に連続して一体的に設けられ、近年普及している高さの低いオーディオビデオ機器の背面側又は正面側に、このオーディオビデオジャック１，１，１を取り付ける必要が生じた際があっても、オーディオビデオジャック１が横方向に連続して設けられていることで、高さの低い薄型化されたオーディオビデオ機器であっても、このオーディオビデオ機器の高さ内に収まるように配置することができるので汎用性に優れ、且つ、上記実施例１などと同様に、ハウジング６の後部に防壁部１０，１０Ａ，１０Ｂが設けられているので、異物の挿入を確実に遮断することができる。よって、例えば、複数のオーディオビデオジャック１が、オーディオビデオ機器などの筐体などに取り付けられている際には、不注意により針金などの異物が、オーディオビデオジャック１，１，１からオーディオビデオ機器の内部に挿入されようとしても、オーディオビデオ機器の内部に設けられた高電圧の印加されている装置や部品に接触して感電することを回避することができるので安全性に優れる。なお、図７においては、オーディオビデオジャック１が３つ連続して設けられている一例を示しているが、特にこの数に限定するものではなく、オーディオビデオジャック１を４つ以上或いは２つ並設してもよく、特にこの数を限定するものではない。
【図面の簡単な説明】
【００３２】
【図１】実施例１におけるオーディオビデオジャックが取り付けられた状態を示す正面図である。
【図２】同上、オーディオビデオジャックの側面図である。
【図３】同上、オーディオビデオジャックの平面図である。
【図４】同上、オーディオビデオジャックの背面図である。
【図５】実施例２におけるハウジングと防壁部が一体的に設けられたオーディオビデオジャックの平面図である。
【図６】実施例３におけるハウジングと防壁部が一体に設けられたオーディオビデオジャックの側面図である。
【図７】実施例４における横方向に複数連続してオーディオビデオジャックが一体的に設けられている状態を示す正面図である。
【符号の説明】
【００３３】
１  オーディオビデオジャック
３  外装接続端子部
４  絶縁内周部
５  突出片
６  ハウジング
７  空洞部
８  係止孔
１０  防壁部
１０Ａ  折り曲げ片
１１  係止爪
【図１】
2005276750.tif 000003
【図２】
2005276750.tif 000004
【図３】
2005276750.tif 000005
【図４】
2005276750.tif 000006
【図５】
2005276750.tif 000007
【図６】
2005276750.tif 000008
【図７】
2005276750.tif 000009